(57)【要約】【課題】移動に制約があるユーザが容易に商品の配送を受けられるように支援する従来技術は存在しなかった。【解決手段】ユーザを特定する特定情報が埋め込まれたコードが表出した注文コードシートのコードを読み取った端末装置から特定情報を受信する特定情報受信部と、コードに対応する画面情報であり、１以上の各商品の注文を入力する画面の画面情報を端末装置に送信する画面情報送信部と、画面情報の送信に応じて、１以上の商品のうちの１以上の商品の注文に関する注文情報を端末装置から受信する注文情報受信部と、特定情報に対応するユーザの所在を示す所在情報を含む個人情報を取得する個人情報取得部と、受信された注文情報と取得された個人情報とを用いて、注文情報に対応する１以上の商品の配送に関する配送処理を行う配送処理部とを具備するサーバ装置により、移動に制約があるユーザが容易に商品の配送を受けられるようになる。【選択図】図１
2020064545.tif 000002
【特許請求の範囲】
【請求項１】
ユーザを特定する特定情報が埋め込まれたコードが表出した注文コードシートの前記コードを読み取った端末装置から特定情報を受信する特定情報受信部と、
前記コードに対応する画面情報であり、１以上の各商品の注文を入力する画面の画面情報を前記端末装置に送信する画面情報送信部と、
前記画面情報の送信に応じて、前記１以上の商品のうちの１以上の商品の注文に関する注文情報を前記端末装置から受信する注文情報受信部と、
前記特定情報に対応するユーザの所在を示す所在情報を含む個人情報を取得する個人情報取得部と、
前記注文情報受信部が受信した注文情報と前記個人情報取得部が取得した個人情報とを用いて、当該注文情報に対応する１以上の商品の配送に関する配送処理を行う配送処理部とを具備するサーバ装置。
【請求項２】
前記特定情報は、ユーザの個人情報を含む請求項１記載のサーバ装置。
【請求項３】
前記個人情報は、ユーザの住所情報と氏名情報とを含む請求項１または請求項２記載のサーバ装置。
【請求項４】
前記端末装置の位置を示す位置情報を受信する位置情報受信部と、
前記位置情報と前記住所情報とが予め決められた条件を満たすほど近いか否かを判断する判断部とをさらに具備し、
前記配送処理部は、
前記判断部が前記予め決められた条件を満たすほど近いと判断した場合のみ、前記配送処理を行う請求項３記載のサーバ装置。
【請求項５】
前記個人情報は、座席またはテーブルを特定する席特定情報であり、
前記配送処理部は、
前記席特定情報を用いて、前記座席またはテーブルに１以上の商品の配送するための配送処理を行う請求項１または請求項２記載のサーバ装置。
【請求項６】
請求項５記載のサーバ装置により受信される特定情報が埋め込まれたコードが表出した注文コードシートが貼られた座席。
【請求項７】
前記特定情報は、後ろの席を識別する情報であり、
背もたれの後面に前記注文コードシートが貼られた請求項６記載の座席。
【請求項８】
請求項５記載のサーバ装置により受信される特定情報が埋め込まれたコードが表出した注文コードシートが貼られたテーブル。
【請求項９】
請求項１から請求項４いずれか一項に記載のサーバ装置で受信される特定情報が埋め込まれたコードがマグネット上に表出した注文コードシート。
【請求項１０】
特定情報受信部、画面情報送信部、注文情報受信部、個人情報取得部、および配送処理部によって実現される配送支援方法であって、
前記特定情報受信部が、ユーザを特定する特定情報が埋め込まれたコードが表出した注文コードシートの前記コードを読み取った端末装置から特定情報を受信する特定情報受信ステップと、
前記画面情報送信部が、前記コードに対応する画面情報であり、１以上の各商品の注文を入力する画面の画面情報を前記端末装置に送信する画面情報送信ステップと、
前記注文情報受信部が、前記画面情報の送信に応じて、前記１以上の商品のうちの１以上の商品の注文に関する注文情報を前記端末装置から受信する注文情報受信ステップと、
前記個人情報取得部が、前記特定情報に対応するユーザの所在を示す所在情報を含む個人情報を取得する個人情報取得ステップと、
前記配送処理部が、前記注文情報受信部が受信した注文情報と前記個人情報取得部が取得した個人情報とを用いて、当該注文情報に対応する１以上の商品の配送に関する配送処理を行う配送処理ステップとを含む配送支援方法。
【請求項１１】
コンピュータを、
ユーザを特定する特定情報が埋め込まれたコードが表出した注文コードシートの前記コードを読み取った端末装置から特定情報を受信する特定情報受信部と、
前記コードに対応する画面情報であり、１以上の各商品の注文を入力する画面の画面情報を前記端末装置に送信する画面情報送信部と、
前記画面情報の送信に応じて、前記１以上の商品のうちの１以上の商品の注文に関する注文情報を前記端末装置から受信する注文情報受信部と、
前記特定情報に対応するユーザの所在を示す所在情報を含む個人情報を取得する個人情報取得部と、
前記注文情報受信部が受信した注文情報と前記個人情報取得部が取得した個人情報とを用いて、当該注文情報に対応する１以上の商品の配送に関する配送処理を行う配送処理部として機能させるためのプログラム。
【発明の詳細な説明】
【技術分野】
【０００１】
本発明は、商品の配送に関する処理を行うサーバ装置等に関するものである。
【背景技術】
【０００２】
従来、受取者が匿名でかつ居場所を問わず荷物を受け取ることができる配送支援装置が存在した（例えば、特許文献１参照）。
【先行技術文献】
【特許文献】
【０００３】
【特許文献１】特開２０１４−２２５１８７号公報
【発明の概要】
【発明が解決しようとする課題】
【０００４】
しかし、例えば、在宅の要介護者や独居老人、あるいは、新幹線等の列車の乗客や球場の観客といった、移動に制約があるユーザが、容易に商品の配送を受けられるように支援する従来技術は存在しなかった。
【課題を解決するための手段】
【０００５】
本第一の発明のサーバ装置は、ユーザを特定する特定情報が埋め込まれたコードが表出した注文コードシートのコードを読み取った端末装置から特定情報を受信する特定情報受信部と、コードに対応する画面情報であり、１以上の各商品の注文を入力する画面の画面情報を端末装置に送信する画面情報送信部と、画面情報の送信に応じて、１以上の商品のうちの１以上の商品の注文に関する注文情報を端末装置から受信する注文情報受信部と、特定情報に対応するユーザの所在を示す所在情報を含む個人情報を取得する個人情報取得部と、注文情報受信部が受信した注文情報と個人情報取得部が取得した個人情報とを用いて、注文情報に対応する１以上の商品の配送に関する配送処理を行う配送処理部とを具備するサーバ装置である。
【０００６】
かかる構成により、移動に制約があるユーザが容易に商品の配送を受けられるように支援するサーバ装置が実現される。
【０００７】
また、本第二の発明のサーバ装置は、第一の発明に対して、特定情報は、ユーザの個人情報を含むサーバ装置である。
【０００８】
かかる構成により、ユーザは、個人情報の入力なしで商品の配送を受けることができる。
【０００９】
また、本第三の発明のサーバ装置は、第一または第二の発明に対して、個人情報は、ユーザの住所情報と氏名情報とを含むサーバ装置である。
【００１０】
かかる構成により、ユーザは、住所と氏名を含む個人情報の入力なしで商品の配送を受けることができる。
【００１１】
また、本第四の発明のサーバ装置は、第三の発明に対して、端末装置の位置を示す位置情報を受信する位置情報受信部と、位置情報と住所情報とが予め決められた条件を満たすほど近いか否かを判断する判断部とをさらに具備し、配送処理部は、判断部が予め決められた条件を満たすほど近いと判断した場合のみ、配送処理を行うサーバ装置である。
【００１２】
かかる構成により、住所から離れた場所に位置する端末装置での注文に対しては配送を行わないので、ユーザは、住所と氏名を含む個人情報の入力なしでも安全に商品の配送を受けることができる。
【００１３】
また、本第五の発明のサーバ装置は、第一または第二の発明に対して、個人情報は、座席またはテーブルを特定する席特定情報であり、配送処理部は、席特定情報を用いて、座席またはテーブルに１以上の商品の配送するための配送処理を行うサーバ装置である。
【００１４】
かかる構成により、特定の座席または特定のテーブルに就いたユーザが容易に商品の配送を受けることができる。
【００１５】
また、本第六の発明の座席は、第五の発明に対して、サーバ装置により受信される特定情報が埋め込まれたコードが表出した注文コードシートが貼られた座席である。
【００１６】
かかる構成により、その座席に就いたユーザが容易に商品の配送を受けられる。
【００１７】
また、本第七の発明の座席は、第六の発明に対して、特定情報は、後ろの席を識別する情報であり、背もたれの後面に注文コードシートが貼られた座席である。
【００１８】
かかる構成により、その座席に就いたユーザが、前の席のコードを用いて容易に商品の配送を受けることができる。
【００１９】
また、本第八の発明のテーブルは、第五の発明に対して、サーバ装置により受信される特定情報が埋め込まれたコードが表出した注文コードシートが貼られたテーブルである。
【００２０】
かかる構成により、そのテーブルに就いたユーザが容易に商品の配送を受けることができる。
【００２１】
また、本第九の発明の注文コードシートは、第一から第四いずれか１つの発明に対して、サーバ装置で受信される特定情報が埋め込まれたコードがマグネット上に表出した注文コードシートである。
【００２２】
かかる構成により、注文コードシートを冷蔵庫等に貼り付けておくことで、ユーザが容易に食品等の商品の配送を受けられる。
【発明の効果】
【００２３】
本発明によれば、移動に制約があるユーザが容易に商品の配送を受けられるように支援するサーバ装置が実現される。
【図面の簡単な説明】
【００２４】
【図１】実施の形態１における情報システムのブロック図
【図２】同サーバ装置の動作を説明するフローチャート
【図３】同注文コードシートの配置図
【図４】同個人情報のデータ構造図
【図５】同端末装置における画面の例を示す図
【図６】実施の形態２における情報システムのブロック図
【図７】同注文コードシートの配置図
【図８】同個人情報である席特定情報のデータ構造図
【図９】同配送者端末における画面の例を示す図
【図１０】コンピュータシステムの外観図
【図１１】コンピュータシステムの内部構成の一例を示す図
【発明を実施するための形態】
【００２５】
以下、サーバ装置等の２つの実施形態について図面を参照して説明する。なお、各実施の形態において同じ符号を付した構成要素は同様の動作を行うので、再度の説明を省略する場合がある。また、各実施の形態において同じ名称を有し、かつ異なる符号を付した構成要素は、一部を除き同様の動作を行うので、異なる動作のみ説明し、同様の動作については再度の説明を省略する場合がある。
【００２６】
（実施の形態１）
図１は、本実施の形態１における情報システム１００のブロック図である。情報システム１００は、サーバ装置１、および１または２以上の端末装置２を備える。サーバ装置１は、例えば、ＬＡＮやインターネット等のネットワーク、無線または有線の通信回線などを介して、１以上の端末装置２の各々と通信可能に接続される。
【００２７】
サーバ装置１は、例えば、情報システム１００を運営する運営企業のサーバであるが、クラウドサーバやＡＳＰサーバ等でもよく、そのタイプや所在は問わない。
【００２８】
端末装置２は、例えば、情報システム１００を利用するユーザの端末である。ユーザは、例えば、自宅や施設等の決まった場所に居住していて、年齢や健康上の理由等で外出することが容易でない人である。つまり、本実施の形態のユーザは、例えば、自宅等の住居からの移動に制約があるため、食品や日用品といった日常生活に必要な品物（以下、生活必需品）の買い物が困難となっている買い物困難者である、といってもよい。この種のユーザは、例えば、要介護者、要支援者、在宅療養者、独居老人等であるが、誰でもよい。
【００２９】
端末は、例えば、携帯端末であるが、据え置き型のＰＣ等でもよく、そのタイプは問わない。携帯端末とは、例えば、スマートフォン、タブレット端末、携帯電話機、ノートＰＣ等であるが、その種類は問わない。
【００３０】
または、端末装置２は、ユーザの買い物を代行する代行者の端末でもよい。代行者は、例えば、ヘルパー、家族などであるが、誰でもよい。
【００３１】
サーバ装置１は、格納部１１、受信部１２、送信部１３、および処理部１４を備える。受信部１２は、特定情報受信部１２１、注文情報受信部１２２、および位置情報受信部１２３を備える。送信部１３は、画面情報送信部１３１を備える。処理部１４は、個人情報取得部１４１、配送処理部１４２、および判断部１４３を備える。
【００３２】
端末装置２は、端末格納部２１、端末受付部２２、端末処理部２３、端末送信部２４、端末受信部２５、および端末出力部２６を備える。
【００３３】
サーバ装置１を構成する格納部１１は、各種の情報を格納し得る。各種の情報とは、例えば、後述するＩＤ、後述する個人情報、後述する画面情報などである。
【００３４】
受信部１２は、各種の情報を受信する。各種の情報とは、例えば、後述する特定情報、後述する画面識別子、後述する注文情報、および後述する位置情報などである。
【００３５】
特定情報受信部１２１は、特定情報を受信する。特定情報とは、個人を特定する情報である。個人とは、情報システム１００を構成する１以上の端末装置２に対応する１以上のユーザの各々である。特定情報は、例えば、ユーザの個人情報を含む。個人情報とは、個人に関する情報である。個人情報は、例えば、ユーザの住所情報と、ユーザの氏名情報とを含む。住所情報とは、ユーザの住所を示す情報である。氏名情報とは、ユーザの氏名を示す情報である。
【００３６】
または、個人情報は、所在情報を含んでもよい。所在情報とは、ユーザの所在を示す情報である。所在情報は、例えば、住所情報であるが、施設情報でもよい。施設情報とは、ユーザが居る施設を示す情報である。施設情報は、例えば、施設名、固定電話番号等であるが、施設を特定可能な情報であれば何でもよい。所在情報が施設情報である場合、格納部１１には、施設情報と住所情報との対の集合が格納されてもよい。なお、対の集合は、通常、２以上の対で構成されるが、一の対のみで構成される場合も含む（以下同様）。
【００３７】
または、特定情報は、ＩＤでもよい。この場合、格納部１１には、ＩＤと、上記のような個人情報との対の集合が格納される。
【００３８】
特定情報受信部１２１は、例えば、注文コードシートのコードを読み取った端末装置２から、端末識別子と対に、上記のような特定情報を受信する。端末識別子とは、端末装置２を識別する情報である。端末識別子は、例えば、ＭＡＣアドレス、ＩＰアドレス等であるが、携帯電話番号でもよく、端末装置２を識別し得る情報であれば何でもよい。
【００３９】
なお、端末装置２が１つしかない場合は、特定情報の送受信のみを行い、端末識別子の送受信を行わなくてもよい。かかる事項は、後述する位置情報の送受信にも当てはまる。
【００４０】
注文コードシートとは、ユーザが商品の注文を行うための、コードが表出したシートである。コードとは、情報が埋め込まれた図形である、といってもよい。注文コードシートのコードには、当該ユーザを特定する特定情報が埋め込まれている。
【００４１】
また、コードには、通常、画面識別子も埋め込まれている。画面識別子とは、画面を識別する情報である。画面とは、１以上の各商品の注文を入力する画面である。画面識別子は、例えば、ＵＲＬであるが、ＵＲＬに対応付いたＩＤでもよいし、画面を識別し得る情報であれば何でもよい。
【００４２】
この場合、格納部１１には、画面識別子と対に、１または２以上の画面情報が格納される。本実施の形態における画面情報とは、上記のような、１以上の各商品の注文を入力する画面の情報である。画面情報は、例えば、ウェブページであるが、ＰＤＦや専用アプリの画面等でもよく、そのデータ形式は問わない。
【００４３】
なお、ウェブページとは、ワールドワイドウェブ上で提供される、ページ単位の文書である。ウェブページは、文字または画像のうち１種類以上の情報で構成され、ブラウザで閲覧可能である。ウェブページは、ＵＲＬで識別される。本実施の形態におけるウェブページには、例えば、商品識別子に対応する商品名と、数量が入力される入力欄との対が、１対以上、ページ内に配置されている。
【００４４】
注文コードシートＣＳ１のコードは、ユーザが商品の注文を行う際に、端末装置２によって読み取られる。特定情報受信部１２１は、注文コードシートＣＳ１の上記コードを読み取った端末装置２から特定情報を受信する。また、特定情報受信部１２１は、コードを読み取った端末装置２から、例えば、特定情報と共に、画面識別子も受信する。または、特定情報受信部１２１は、画面識別子を含む特定情報を受信してもよい。
【００４５】
ただし、画面識別子は必須ではない。例えば、１以上の各商品の注文を入力する画面がただ１つしかない場合は、コードに画面識別子が埋め込まれていなくてもよい。また、格納部１１に画面識別子と画面情報との対の集合が格納される必要もないし、特定情報受信部１２１は、画面識別子を受信しなくてもよい。
【００４６】
なお、コードは、例えば、ＱＲコード（登録商標：以下同様）であるが、ＱＲコード以外の二次元コードでもよいし、バーコード等の一次元コードでも構わない。ＱＲコード以外の二次元コードとは、例えば、ＳＰコードやＣＰコード等であるが、その種類は問わない。
【００４７】
表出とは、シートの表面にコードが出現している状態をいう。表出は、例えば、シートの表面への印刷により実現されるが、シートに対するレーザ彫刻でも実現可能である。または、例えば、シールにコードを印刷し、そのシールをシートに貼っても構わない。
【００４８】
注文コードシートは、コードがマグネット上に表出したマグネットシートであることは好適である。この種の注文コードシートは、磁石に着く鉄等の素材を含む物品に貼り付けられる。この種の注文コードシートが貼り付けられる物品は、例えば、冷蔵庫であるが、冷蔵庫以外の家電製品（例えば、洗濯機、電子レンジ等）でもよいし、スチール製の食器棚やホワイトボード等でもよく、その種類は問わない。
【００４９】
または、注文コードシートは、コードが表出したシールでもよい。この種の注文コードシートは、磁石に着かない木材や樹脂等できた物品にも貼り付け可能である。または、注文コードシートは、コードが表出した単なる紙片でも構わない。この種の注文コードシートは、例えば、粘着テープや画鋲等を用いて、各種の物品や壁面など、適宜な場所に貼り付けられる。
【００５０】
このように、注文コードシートの素材や作成方法は問わない。また、注文コードシートが貼り付けられる場所も問わない。
【００５１】
具体的には、例えば、ユーザ宅の冷蔵庫等に貼られた注文コードシートのコードは、ユーザ宅を訪問したヘルパーの操作により、端末装置２のカメラで読み取られる。そして、当該コードから抽出された特定情報が、端末装置２からサーバ装置１に送信される。
【００５２】
注文情報受信部１２２は、注文情報を受信する。注文情報とは、商品の注文に関する情報である。注文情報は、商品識別子または数量情報のうち１種類以上の情報を含む。
【００５３】
商品識別子とは、商品を識別する情報である。商品識別子は、例えば、商品名、品番等であるが、商品を識別可能な情報であれば何でもよい。数量情報とは、商品の数または量を示す情報である。数量情報は、例えば、２個、１ダース、３リットル等であるが、その数値や単位は問わない。
【００５４】
具体的には、例えば、特定情報受信部１２１が、注文コードシートのコードを読み取った端末装置２から、端末識別子と対に特定情報を受信する。そして、当該特定情報の受信に応じて、後述する画面情報送信部１３１が、読み取られたコードに対応する画面情報であり、１以上の各商品の注文を入力する画面の画面情報を、当該端末識別子で識別される端末装置２に送信する。
【００５５】
なお、読み取られたコードとは、コードの読み取りの結果である。コードの読み取りの結果は、例えば、コードの画像でもよいし、文字列でもよいし、コードから抽出された１または２以上の特徴情報でもよい。特徴情報とは、コードの図形的な特徴を量的に示す情報である、といってもよい。特徴情報は、例えば、コードを構成する１以上の図形要素の配列、各図形要素のサイズといった情報であるが、抽出される特徴量の種類や数は問わない。また、ＱＲコード等のコードの読み取り、読み取られたコードからの情報の抽出の処理は公知であり、詳しい説明を省略する。
【００５６】
注文情報受信部１２２は、例えば、画面情報の端末装置２への送信に応じて、当該端末装置２から、当該画面情報による画面の１以上の商品のうちの、１以上の商品の注文に関する注文情報を受信する。
【００５７】
こうして受信される注文情報は、通常、商品識別子と数量情報との組を、１または２組以上含む。ただし、例えば、一の商品しかない場合、注文情報は、商品識別子を有さなくてもよい。また、例えば、数量が“１”である場合、注文情報は、数量情報を有さなくてもよい。
【００５８】
位置情報受信部１２３は、位置情報を受信する。位置情報とは、端末装置２の位置を示す情報である。位置情報は、例えば、緯度および経度の組で表現される。この種の位置情報は、例えば、端末装置２が有するＧＰＳ受信機を用いて取得され、当該端末装置２から、端末識別子と対にサーバ装置１に送信される。
【００５９】
または、位置情報は、アクセスポイント識別子で表現されてもよい。アクセスポイント識別子とは、端末装置２のネットワークへのアクセスポイントを識別する情報である。この種の位置情報は、例えば、ネットワークへのアクセスを管理する外部のサーバから取得可能である。端末装置２は、例えば、こうして外部サーバから取得した位置情報を、端末識別子と対にサーバ装置１に送信してもよい。
【００６０】
位置情報受信部１２３は、例えば、上記のようにして端末装置２から送信される位置情報を、端末識別子と対に受信する。
【００６１】
送信部１３は、各種の情報を送信する。各種の情報とは、例えば、画面情報である。
【００６２】
画面情報送信部１３１は、画面情報を送信する。画面情報とは、前述したように、１以上の各商品の注文を入力する画面の情報である。
【００６３】
画面情報送信部１３１は、例えば、端末装置２で読み取られたコードに対応する画面情報を、当該端末装置２に送信する。なお、コードに対応する画面情報とは、コードから抽出された情報に対応する画面情報でもよい。コードから抽出された情報とは、例えば、特定情報であるが、画面識別子でもよく、コート抽出可能な情報あれば何でもよい。
【００６４】
詳しくは、例えば、格納部１１に、特定情報と画面情報との対の集合が格納されており、画面情報送信部１３１は、特定情報受信部１２１が受信した特定情報に対応する画面情報を格納部１１から取得する。そして、画面情報送信部１３１は、取得した画面情報を、当該特定情報と対に受信された端末識別子で識別される端末装置２に送信する。
【００６５】
または、格納部１１に、画面識別子と画面情報との対の集合が格納されており、画面情報送信部１３１は、特定情報受信部１２１が特定情報と共に受信した画面識別子に対応する画面情報を、格納部１１から取得してもよい。そして、画面情報送信部１３１は、取得した画面情報を、当該特定情報と対に受信された端末識別子で識別される端末装置２に送信する。
【００６６】
なお、送信される画面情報は、格納されている画面情報と同じでなくてもよい。例えば、画面情報送信部１３１は、特定情報受信部１２１が特定情報と共に受信した画面識別子に対応する画面情報を格納部１１から取得し、その取得した画面情報と、当該特定情報の少なくとも一部とを用いて、送信用の画面情報を構成してもよい。
【００６７】
ここで、特定情報の少なくとも一部とは、例えば、氏名情報であるが、住所情報でもよいし、住所情報および氏名情報でも構わない。また、送信用の画面情報を構成することは、例えば、取得した画面情報を、当該画面情報に対応する画面が、特定情報の少なくとも一部に対応する文字列を含むように、変更することでもよい。
【００６８】
画面情報送信部１３１は、こうして構成した画面情報を、当該特定情報と対に受信された端末識別子で識別される端末装置２に送信してもよい。
【００６９】
端末装置２には、例えば、ブラウザがインストールされており、コードから抽出された画面識別子で特定されるウェブページが、例えば、前述したヘルパーによって、端末装置２のブラウザで閲覧される。ただし、ブラウザは必須ではない。端末装置２には、例えば、ＰＤＦビューアやその他の専用アプリがインストールされていてもよい。
【００７０】
ヘルパーは、ウェブページを閲覧しつつ、端末装置２が有するタッチパネル等の入力デバイスを利用して、ウェブページ内の１以上の商品名のうち、注文する１以上の各商品の商品名と対になる入力欄に、数量を入力した後、確定操作を行う。
【００７１】
確定操作に応じて、端末装置２において、数量が入力された１以上の入力欄ごとに、当該入力欄と対になる商品名に対応する商品識別子と、当該該入力欄に入力された数量を示す数量情報との組が構成される。端末装置２には、ユーザを特定する特定情報が格納されており、端末装置２からは、こうして構成された１以上の組を含む注文情報が、特定情報と対にサーバ装置１に送信される。
【００７２】
処理部１４は、各種の処理を行う。各種の処理とは、例えば、個人情報取得部１４１、配送処理部１４２、および判断部１４３などの処理である。なお、各種の処理には、フローチャートで説明する各種の判別なども含まれる。
【００７３】
個人情報取得部１４１は、個人情報を取得する。個人情報取得部１４１が取得する個人情報は、所在情報を含む。所在情報とは、前述したように、ユーザの所在を示す情報である。個人情報取得部１４1に示されているが取得する個人情報に含まれる所在情報は、特定情報受信部１２１が受信した特定情報に対応するユーザの所在を示す情報である。
【００７４】
例えば、特定情報と、所在情報を含む個人情報との対の集合が格納部１１に格納されており、個人情報取得部１４１は、特定情報受信部１２１が受信した特定情報にと対になる個人情報を格納部１１から取得する。
【００７５】
または、特定情報受信部１２１が受信した特定情報に個人情報が含まれていてもよく、その場合、個人情報取得部１４１は、受信された特定情報から個人情報を取得すればよい。
【００７６】
配送処理部１４２は、配送処理を行う。配送処理とは、商品の配送に関する処理である。本実施の形態における配送は、ユーザの住所への配送であり、例えば、宅配や配達や郵送などであるが、その形態は問わない。かかる配送に関する配送処理は、例えば、発注の処理、住所と氏名を含む送り状の印刷などであるが、ユーザが注文した商品を当該ユーザの住所に届けるための処理であれば何でもよい。
【００７７】
配送処理部１４２は、注文情報受信部１２２が受信した注文情報と、個人情報取得部１４１が取得した個人情報とを用いて、受信された注文情報に対応する１以上の商品の配送処理を行う。
【００７８】
詳しくは、例えば、格納部１１に、商品識別子と供給者情報との対の集合が格納されている。供給者情報とは、供給者に関する情報である。供給者とは、商品を供給する者である。供給者は、例えば、メーカであるが、販売店や問屋等でもよい。供給者情報は、例えば、供給者のメールアドレスを含む。または、供給者情報は、メールアドレスに代えて、またはこれに加えて、供給者のウェブアドレス、または供給者の電話番号のうち１以上を含んでもよい。
【００７９】
なお、商品識別子と供給者情報とは、１対１に対応していなくてもよい。例えば、一の供給者が２以上の商品を供給する場合は、２以上の商品識別子が一の供給者情報に対応付いていても構わない。
【００８０】
配送処理部１４２は、注文情報受信部１２２が受信した注文情報から、商品識別子と数量情報との組を、１または２組以上、取得する。次に、配送処理部１４２は、取得した１以上の各商品識別子ごとに、当該商品識別子と対になる供給者情報を格納部１１から取得し、取得した供給者情報を用いて、当該商品識別子で識別される商品を、当該商品識別子と組になる数量情報が示す数量だけ、発注する発注処理を行う。
【００８１】
発注処理は、例えば、取得された供給者情報に含まれるメールアドレスへのメールの送信により行われる。メールには、取得された供給者情報に対応する発注情報が記載または添付される。発注情報とは、一の供給者に対する、１または２以上の商品の発注に関する情報である。発注情報は、例えば、商品識別子と数量情報との組を、１または２組以上含む。
【００８２】
配送処理部１４２は、受信した１以上の注文情報を用いて、取得した１以上の供給者情報ごとに、上記のような発注情報を構成する。
【００８３】
例えば、格納部１１に、発注を行うタイミングを示すタイミング情報が格納されており、配送処理部１４２は、ＭＰＵの内蔵時計またはＮＴＰサーバから取得される時刻情報が、格納されているタイミング情報の示すタイミングである場合に、１以上の各供給者情報ごとに、当該供給者情報に対応する発注情報を構成し、当該供給者情報に含まれるメールアドレス宛に、メールで送信してもよい。
【００８４】
または、発注処理は、供給者情報に含まれるウェブアドレスに対応するウェブページ上で行われてもよいし、供給者情報に含まれる電話番号へファクシミリまたはショートメッセージの送信により行われても構わない。
【００８５】
なお、発注処理は、例えば、発注の管理を行う管理者の端末（図示しない）への発注情報の送信を含むと考えてもよい。管理者の端末は、発注情報を受信し、ディスプレイに表示する。管理者は、表示されている発注情報を確認し、発注情報が記載または添付されたメール等の送信の操作を行う。または、管理者は、表示されている発注情報を用いて、電話等で発注を行うことも可能である。ただし、管理者等による人為的な操作自体は、通常、発注処理から除外される。
【００８６】
また、配送処理部１４２は、取得した１以上の各商品識別子ごとに、取得した個人情報に含まれる住所情報と氏名情報とを用いて、住所と氏名を含む送り状の印刷を行う。なお、印刷は、通常、プリンタによるプリントアウトであるが、例えば、送り状の画像を構成して、格納部１１等に蓄積したり、外部の装置（例えば、印刷サーバなど）に送信したりする処理でもよい。
【００８７】
なお、配送処理部１４２は、位置情報受信部１２３が受信した位置情報と、個人情報取得部１４１が取得した個人情報に含まれる住所情報とが、予め決められた条件を満たすほど近い場合のみ、配送処理を行うことは好適である。予め決められた条件を満たすほど近いか否かは、例えば、判断部１４３が判断してもよい。
【００８８】
判断部１４３は、位置情報受信部１２３が受信した位置情報と、個人情報取得部１４１が取得した個人情報に含まれる住所情報とが、予め決められた条件を満たすか否かを判断する。
【００８９】
例えば、格納部１１に、住所情報が格納されている。住所情報は、位置情報と対に格納されていてもよい。住所情報と対になる位置情報は、当該住所情報で特定される地点または範囲を代表する代表点の位置情報である。代表点は、例えば、当該範囲の中心点であるが、当該範囲内の地点であれば、どの地点でもよい。
【００９０】
予め決められた条件は、位置情報受信部１２３が受信した位置情報と、個人情報取得部１４１が取得した個人情報に含まれる住所情報との関係に関する条件である。
【００９１】
予め決められた条件は、例えば、位置情報受信部１２３が受信した位置情報が示す位置（以下、端末位置と記す場合がある）と、個人情報取得部１４１が取得した個人情報に含まれる住所情報と対になる位置情報が示す位置（以下、ユーザ所在位置と記す場合がある）との間の距離に関する条件であってもよい。かかる条件は、例えば、端末位置とユーザ所在位置と間の距離が閾値以下である、という旨の条件である。この場合の閾値は、例えば、１００ｍ、２０ｍ、１ｋｍ等であるが、その数値は問わない。
【００９２】
または、予め決められた条件は、端末位置からユーザ所在位置への移動に要する時間が閾値以下である、という条件でもよい。この場合の閾値は、１分、２０秒、１５分等であるが、その数値は問わない。
【００９３】
配送処理部１４２は、例えば、判断部１４３が、上記のような予め決められた条件を満たすほど近いと判断した場合のみ、配送処理を行う。
【００９４】
ただし、判断部１４３は必須ではなく、配送処理部１４２は、端末位置とユーザ所在位置との関係によらず、配送処理を行ってもよい。
【００９５】
端末装置２を構成する端末格納部２１は、各種の情報を格納し得る。各種の情報とは、例えば、端末識別子などである。
【００９６】
端末受付部２２は、各種の情報を受け付ける。各種の情報とは、例えば、コード、注文情報などである。
【００９７】
端末受付部２２は、例えば、カメラやスキャナ等の光学読取手段を介して注文コードシートから読み取られたコードを受け付ける。
【００９８】
また、端末受付部２２は、例えば、後述する端末出力部２６によってディスプレイに表示されている画面に対し、タッチパネルやキーボード等の入力デバイスを介して入力された注文情報を受け付ける。
【００９９】
端末処理部２３は、各種の処理を行う。各種の処理とは、例えば、読み取られたコードからの情報の抽出などである。抽出される情報は、例えば、特定情報、画面識別子等であるが、コードに埋め込まれている情報であれば何でもよい。
【０１００】
端末送信部２４は、各種の情報を送信する。各種の情報とは、例えば、特定情報、画面識別子、注文情報などである。
【０１０１】
端末送信部２４は、例えば、端末受付部２２が受け付けたコードから抽出された特定情報を、端末格納部２１に格納されている端末識別子と対に、サーバ装置１に送信する。また、端末送信部２４は、例えば、端末受付部２２が受け付けたコードから抽出された特定情報と共に、当該コードから抽出された画面識別子をも、端末識別子と対にサーバ装置１に送信してもよい。
【０１０２】
また、端末送信部２４は、例えば、端末受付部２２が受け付けた注文情報を、端末識別子と対にサーバ装置１に送信する。
【０１０３】
端末受信部２５は、各種の情報を受信する。各種の情報とは、例えば、画面情報である。
【０１０４】
端末受信部２５は、例えば、端末送信部２４が、注文コードシートから読み取られたコードから抽出された特定情報をサーバ装置１に送信したことに応じて、サーバ装置１から当該コードに対応する画面情報を受信する。端末受信部２５は、例えば、端末送信部２４が、注文コードシートから読み取られたコードから抽出された特定情報と共に画面識別子をもサーバ装置１に送信したことに応じて、サーバ装置１から当該画面識別子で識別される画面情報を受信することは好適である。受信される画面情報は、サーバ装置１において、格納されている画面情報と、コードから抽出された特定情報の一部または全部とを用いて構成された、送信用の画面情報であることは、より好適である。
【０１０５】
端末出力部２６は、各種の情報を出力する。各種の情報とは、例えば、画面情報である。出力とは、例えば、ディスプレイへの表示、プリンタでのプリントアウト、スピーカからの音出力、記録媒体への蓄積、他のプログラムへの処理結果の引渡し、外部の装置への送信などを含む概念である。
【０１０６】
端末出力部２６は、例えば、端末受信部２５が受信した画面情報を、ディスプレイを介して出力する。それによって、ディスプレイに、１以上の各商品の注文を入力する画面が表示される。表示される画面は、コードから抽出された特定情報の一部である氏名情報等に対応する文字列を含むことは好適である。
【０１０７】
なお、端末出力部２６は、受信された画面情報を、プリンタでプリントアウトしたり、記録媒体に蓄積したりしてもよい。
【０１０８】
格納部１１、および端末格納部２１は、例えば、ハードディスクやフラッシュメモリといった不揮発性の記録媒体が好適であるが、ＲＡＭなど揮発性の記録媒体でも実現可能である。後述する実施の形態２に記載の、格納部５１、および端末格納部６１も同様である。
【０１０９】
格納部１１等に情報が記憶される過程は問わない。例えば、記録媒体を介して情報が格納部１１等で記憶されるようになってもよく、ネットワークや通信回線等を介して送信された情報が格納部１１等で記憶されるようになってもよく、あるいは、入力デバイスを介して入力された情報が格納部１１等で記憶されるようになってもよい。入力デバイスは、例えば、キーボード、マウス、タッチパネル等、何でもよい。
【０１１０】
受信部１２、特定情報受信部１２１、注文情報受信部１２２、および位置情報受信部１２３、および端末受信部２５は、通常、有線または無線の通信手段（例えば、ＮＩＣ(Network interface controller)やモデム等の通信モジュール）で実現されるが、放送を受信する手段（例えば、放送受信モジュール）で実現されてもよい。実施の形態２に記載の、受信部５２、特定情報受信部５２１、注文情報受信部５２２、端末受信部６５、および配送者受信部７１も同様である。
【０１１１】
送信部１３、画面情報送信部１３１、および端末送信部２４は、通常、有線または無線の通信手段で実現されるが、放送手段（例えば、放送モジュール）で実現されてもよい。実施の形態２に記載の、送信部５３、画面情報送信部５３１、および端末送信部６４も同様である。
【０１１２】
処理部１４、個人情報取得部１４１、配送処理部１４２、判断部１４３、および端末処理部２３は、通常、ＭＰＵやメモリ等から実現され得る。処理部１４等の処理手順は、通常、ソフトウェアで実現され、当該ソフトウェアはＲＯＭ等の記録媒体に記録されている。ただし、処理手順は、ハードウェア（専用回路）で実現してもよい。実施の形態２に記載の、処理部５４、個人情報取得部５４１、配送処理部５４２、および端末処理部６３も同様である。
【０１１３】
端末受付部２２は、入力デバイスを含むと考えても、含まないと考えてもよい。端末受付部２２は、入力デバイスのドライバーソフトによって、または入力デバイスとそのドライバーソフトとで実現され得る。実施の形態２に記載の端末受付部６２も同様である。
【０１１４】
端末出力部２６は、ディスプレイやスピーカ等の出力デバイスを含むと考えても含まないと考えてもよい。端末出力部２６は、出力デバイスのドライバーソフトによって、または出力デバイスとそのドライバーソフトとで実現され得る。実施の形態２に記載の、端末出力部６６、および配送者出力部７２も同様である。
【０１１５】
次に、情報システム１００の動作について図２のフローチャートを用いて説明する。図２は、サーバ装置１の動作を説明するフローチャートである。
【０１１６】
（ステップＳ２０１）処理部１４は、特定情報受信部１２１が、コードを読み取った端末装置２から特定情報を受信したか否かを判断する。
【０１１７】
例えば、特定情報は、ＩＤであり、格納部１１に、ＩＤと個人情報との対の集合が格納されている。受信された特定情報が、格納部１１に格納されている１以上のＩＤのいずれか１つと一致する場合に、処理部１４は、特定情報受信部１２１が、コードを読み取った端末装置２から特定情報を受信したと判断する。特定情報受信部１２１が、コードを読み取った端末装置２から特定情報を受信した場合はステップＳ２０２に進み、受信していない場合はステップＳ２０１に戻る。
【０１１８】
（ステップＳ２０２）画面情報送信部１３１は、当該端末装置２に、当該コードに対応する画面情報を送信する。例えば、格納部１１に、特定情報と画面情報との対の集合が格納されており、画面情報送信部１３１は、当該特定情報に対応する画面情報を格納部１１から取得して、ステップＳ２０１で当該特定情報と対に受信された端末識別子で識別される端末装置２に送信する。
【０１１９】
（ステップＳ２０３）処理部１４は、注文情報受信部１２２が、当該端末装置２から注文情報を受信したか否かを判断する。注文情報受信部１２２が、当該端末装置２から注文情報を受信した場合はステップＳ２０４に進み、受信していない場合はステップＳ２０３に戻る。
【０１２０】
（ステップＳ２０４）個人情報取得部１４１は、当該特定情報に対応するユーザの個人情報を取得する。例えば、特定情報と、所在情報を含む個人情報との対の集合が格納部１１に格納されており、個人情報取得部１４１は、ステップＳ２０１で受信された特定情報にと対になる個人情報を格納部１１から取得する。
【０１２１】
（ステップＳ２０５）配送処理部１４２は、ステップＳ２０３で受信された注文情報と、ステップＳ２０４で取得された個人情報とを用いて、当該注文情報に対応する１以上の商品の配送処理を行う。なお、本実施の形態における配送は、ユーザの住所への配送であり、配送処理は、例えば、発注の処理、住所と氏名を含む送り状の印刷などである。その後、ステップＳ２０１に戻る。
【０１２２】
なお、図２のフローチャートにおいては、格納部１１に特定情報と画面情報との対の集合が格納されている場合の処理例を説明したが、格納部１１には、画面識別子と画面情報との対の集合が格納されていてもよい。この場合、ステップＳ２０２で、画面情報送信部１３１は、当該コードから抽出された画面識別子に対応する画面情報を格納部１１から取得し、ステップＳ２０１で当該特定情報と対に受信された端末識別子で識別される端末装置２に送信する。
【０１２３】
また、図２のフローチャートにおいては、ステップＳ２０１で特定情報を受信したことに応じて、ステップＳ２０２で画面情報を送信した後、ステップＳ２０３で当該画面情報に対する注文情報を受信したことに応じて、ステップＳ２０４で個人情報を取得しているが、ステップＳ２０４の個人情報取得は、例えば、ステップ２０２の画面情報送信の直後でもよいし、ステップＳ２０１の特定情報受信の直後でもよい。
【０１２４】
つまり、図２のフローチャートを構成する５つのステップＳ２０１〜Ｓ２０５は、例えば、Ｓ２０１，Ｓ２０２，Ｓ２０４，Ｓ２０３，Ｓ２０５の順序で実行されてもよいし、または、Ｓ２０１，Ｓ２０４，Ｓ２０２，Ｓ２０３，Ｓ２０５の順序で実行されても構わない。
【０１２５】
そして、後者の場合、ステップＳ２０２で、画面情報送信部１３１は、取得した画面情報と、当該特定情報の少なくとも一部（例えば、氏名情報）とを用いて、送信用の画面情報を構成し、その構成した画面情報を、当該特定情報と対に受信された端末識別子で識別される端末装置２に送信してもよい。
【０１２６】
また、図２のフローチャートの処理は、例えば、特定情報受信部１２１が特定情報と対に受信した２以上の各端末識別子ごとに実行される。従って、２以上の端末識別子に対応する２以上の処理が、並列に実行される場合がある。
【０１２７】
さらに、図２のフローチャートにおいて、サーバ装置１の電源オンやプログラムの起動に応じて処理が開始し、電源オフや処理終了の割り込みにより処理は終了する。ただし、処理の開始または終了のトリガは問わない。
【０１２８】
なお、図２のフローチャートにおいて、例えば、ステップＳ２０４とステップＳ２０５の間に、次の２つのステップＳ２０４ａおよびＳ２０４ｂが追加されてもよい。この変形例において、ステップＳ２０４で取得される個人情報には、住所情報が含まれる。
【０１２９】
（ステップＳ２０４ａ）処理部１４は、位置情報受信部１２３が当該端末装置２の位置情報を受信したか否かを判断する。位置情報受信部１２３が当該端末装置２の位置情報を受信した場合はステップＳ２０４ｂに進み、受信していない場合はステップＳ２０４ａに戻る。
【０１３０】
（ステップＳ２０４ｂ）判断部１４３は、ステップＳ２０４ｂで受信された位置情報と、ステップＳ２０４で取得された個人情報に含まれる住所情報とが条件を満たす程近いか否かを判断する。当該位置情報と当該住所情報とが条件を満たす程近い場合はステップＳ２０５に進み、そうでない場合はステップＳ２０１に戻る。
【０１３１】
以下、情報システム１００の具体的な動作例について説明する。なお、以下の説明は、種々の変更が可能であり、本発明の範囲を何ら制限するものではない。
【０１３２】
本例における情報システム１００は、サーバ装置１、および２以上の端末装置２を備える。サーバ装置１は、ネットワーク等を介して、２以上の端末装置２の各々と通信可能に接続される。サーバ装置１は、例えば、情報システム１００を運営する運営企業のサーバである。
【０１３３】
２以上の端末装置２のうち一の端末装置２（以下、端末装置２Ａと記す場合がある）は、情報システム１００を利用するユーザの一人である田中さんの世話をするヘルパーの端末である。田中さんは、自宅からの移動に制約があり、例えば、食品等の生活必需品の買い物が困難な買い物困難者である、といってもよい。ヘルパーは、田中さんの自宅を訪問し、田中さんに代わって、生活必需品の注文を行う。
【０１３４】
田中さんの自宅の冷蔵庫には、例えば、図３に示すような、マグネットの注文コードシートＣＳ１が貼り付けられている。図３は、本実施の形態における注文コードシートの配置図である。この注文コードシートＣＳ１には、ＱＲコードが表出している。ＱＲコードには、田中さんを特定する特定情報が埋め込まれている。本例における特定情報は、ＩＤである。田中さんを特定する特定情報は、ＩＤ“１”である。なお、注文コードシートＣＳ１には、田中さんの氏名情報“田中・・・”も記されているが、氏名情報の表記は無くてもよい。
【０１３５】
２以上の端末装置２のうち他の一の端末装置２（以下、端末装置２Ｂ）は、情報システム１００を利用するユーザの他の一人である鈴木さんの端末である。鈴木さんも、買い物困難者であるが、自分で端末装置２Ｂを利用して商品の注文を行う。鈴木さん宅のホワイトボードには、鈴木さんを特定するＩＤ“２”が埋め込まれたＱＲコードを表出した注文コードシートが貼り付けられている。
【０１３６】
サーバ装置１の格納部１１には、例えば、図４に示すような、ＩＤと個人情報との対の集合が格納されている。図４は、個人情報のデータ構造図である。個人情報は、例えば、住所情報、および氏名情報などを有する。ＩＤは、例えば、“１”，“２”等の番号である。ＩＤ“１”と対になる個人情報は、住所情報“大阪市中央区・・・”、および氏名情報“田中・・・”などを有する。ＩＤ“２”と対になる個人情報は、住所情報“兵庫県西宮市・・・”、および氏名情報“鈴木”などを有する。
【０１３７】
また、格納部１１には、ＩＤとウェブページとの対の集合が格納されている。ＩＤ“１”に対応するウェブページは、田中さんのページである。格納されるウェブページは、例えば、ＨＴＭＬファイルであるが、ＸＭＬでもよく、そのデータ形式は問わない。
【０１３８】
なお、ＩＤ“２”に対応するウェブページは、鈴木さんのページである。田中さんのページは、例えば、「歯みがき」と数量入力欄との対、「ディッシュペーパー」と数量入力欄との対などを含む。
【０１３９】
端末装置２Ａの端末格納部２１には、端末識別子“Ａ”が格納されている。端末装置２Ｂの端末格納部２１には、端末識別子“Ｂ”が格納されている。
【０１４０】
田中さん宅を訪問したヘルパーは、冷蔵庫の中を確認し、必要な食料品があれば、端末装置２Ａを利用して、次の要領で注文を行う。すなわち、ヘルパーは、端末装置２Ａのカメラ機能を起動し、冷蔵庫に貼り付けられている注文コードシートからＱＲコードを読み取る。
【０１４１】
端末装置２Ａにおいて、端末処理部２３は、読み取られたコードからＩＤ“１”を抽出し、端末送信部２４は、抽出されたＩＤ“１”を端末識別子“Ａ”と対にサーバ装置１に送信する。
【０１４２】
サーバ装置１において、特定情報受信部１２１が上記ＩＤ“１”を端末識別子“Ａ”と対に受信し、画面情報送信部１３１は、当該端末識別子“Ａ”で識別される端末装置２Ａに、当該ＩＤ“１”に対応するウェブページを送信する。
【０１４３】
端末装置２Ａにおいて、端末受信部２５が上記ウェブページを受信し、端末出力部２６は、受信されたウェブページをディスプレイを介して出力する。これにより、端末装置２Ａのディスプレイに、例えば、図５に示すような、田中さんの個人ページの画面が表示される。図５は、端末装置２Ａにおける画面の例を示す図である。
【０１４４】
田中さんの個人ページは、「牛乳」と数量入力欄（本）との対、および「にんじん」と数量入力欄（ｋｇ）との対などを含む。ヘルパーは、端末装置２Ａが有するタッチパネル等の入力デバイスを介して、「牛乳」に対応する数量入力欄（本）に“２”を入力し、また、「にんじん」に対応する数量入力欄（ｋｇ）に“１”を入力する。
【０１４５】
端末装置２Ａにおいて、端末受付部２２は、「牛乳」に対応する数量入力欄（本）に“２”が入力されたことに応じて、商品識別子“牛乳”と数量情報“２本”との対を受け付け、また、「にんじん」に対応する数量入力欄（ｋｇ）に“１”が入力されたことに応じて、商品識別子“にんじん”と数量情報“１ｋｇ”との対を受け付ける。端末送信部２４は、こうして受け付けられた２つの対を含む注文情報を、ＩＤ“１”と対に、サーバ装置１に送信する。
【０１４６】
サーバ装置１において、注文情報受信部１２２が上記注文情報をＩＤ“１”と対に受信し、個人情報取得部１４１は、格納部１１から、当該ＩＤ“１”と対になる個人情報“大阪市中央区・・・，田中・・・”を取得する。
【０１４７】
配送処理部１４２は、受信された注文情報および取得された個人情報を用いて、牛乳２本およびにんじん１ｋｇ等の発注、および住所「大阪市中央区・・・」と氏名「田中・・・様」を含む送り状の印刷を行う。発注した牛乳２本およびにんじん１ｋｇ等が入荷すると、担当者は、それらの商品を箱詰めし、印刷した送り状を添付して配送業者に引き渡す。牛乳２本およびにんじん１ｋｇ等を納めた箱は、送り状に記された住所「大阪市中央区・・・」まで配送され、送り状の宛名である田中さんに引き渡される。
【０１４８】
なお、鈴木さん宅への配送は、次のように行われる。例えば、歯磨きおよびティッシュペーパー等の商品の配送を受けたい場合、鈴木さんは、端末装置２Ｂのカメラで、ホワイトボードに貼り付けられている注文コードシートＣＳ１からＱＲコードを読み取る。
【０１４９】
端末装置２Ｂにおいて、端末処理部２３は、読み取られたコードからＩＤ“２”を抽出し、端末送信部２４は、抽出されたＩＤ“２”を端末識別子“Ｂ”と対にサーバ装置１に送信する。
【０１５０】
サーバ装置１において、特定情報受信部１２１が上記ＩＤ“２”を端末識別子“Ｂ”と対に受信し、画面情報送信部１３１は、当該端末識別子“Ｂ”で識別される端末装置２Ｂに、当該ＩＤ“２”に対応するウェブページを送信する。
【０１５１】
端末装置２Ｂにおいて、端末受信部２５が上記画面情報を受信し、端末出力部２６は、受信されたウェブページをディスプレイを介して出力する。これにより、端末装置２Ｂのディスプレイに、鈴木さんの個人ページの画面が表示される。鈴木さんの個人ページは、「歯磨き」と数量入力欄（本）との対、および「ティッシュペーパー」と数量入力欄（箱）との対などを含む。鈴木さんは、端末装置２Ｂの入力デバイスを介して、「歯磨き」に対応する数量入力欄（個）に“１”を、「ティッシュペーパー」に対応する数量入力欄（箱）に“５”を、それぞれ入力する。
【０１５２】
なお、図５の画面には、文字列“田中様のページ”も含まれている。この文字列は、例えば、ＩＤ“２”に対応するウェブページに、予め記述されている。または、かかる文字列は、格納されているウェブページには記述されておらず、画面情報送信部１３１が、特定情報受信部１２１が受信した氏名情報を用いて、かかる文字列をも含むウェブページを構成してもよい。
【０１５３】
端末装置２Ｂにおいて、端末受付部２２は、商品識別子“歯磨き”と数量情報“１個”との対、および商品識別子“ティッシュペーパー”と数量情報“５箱”との対を受け付ける。端末送信部２４は、受け付けられた２つの対を含む注文情報を、ＩＤ“２”と対に、サーバ装置１に送信する。
【０１５４】
サーバ装置１において、注文情報受信部１２２が上記注文情報をＩＤ“２”と対に受信し、個人情報取得部１４１は、格納部１１から、当該ＩＤ“２”と対になる個人情報“兵庫県西宮市・・・，鈴木・・・”を取得する。配送処理部１４２は、受信された注文情報および取得された個人情報を含む配送依頼を、日用雑貨を取り扱う事業者のサーバに送信する。
【０１５５】
事業者のサーバにおいて、上記配送依頼が受信され、鈴木さんからの注文情報および個人情報がプリンタ等で出力される。事業者は、歯磨き１個とティッシュペーパー５箱を袋詰めし、住所「兵庫県西宮市・・・」と氏名「鈴木・・・」を印刷したラベルを添付して出荷する。歯磨き１個とティッシュペーパー５箱を納めた袋は、「兵庫県西宮市・・・」の鈴木さん宅に配送される。
【０１５６】
以上、本実施の形態によれば、サーバ装置１は、ユーザを特定する特定情報が埋め込まれたコードが表出した注文コードシートＣＳ１のコードを読み取った端末装置２から特定情報を受信し、コードに対応する画面情報であり、１以上の各商品の注文を入力する画面の画面情報を端末装置２に送信し、画面情報の送信に応じて、１以上の商品のうちの１以上の商品の注文に関する注文情報を端末装置２から受信し、特定情報に対応するユーザの所在を示す所在情報を含む個人情報を取得し、受信した注文情報と取得した個人情報とを用いて、注文情報に対応する１以上の商品の配送に関する配送処理を行うことにより、移動に制約があるユーザが容易に商品の配送を受けられるようになる。なお、本実施の形態におけるユーザは、例えば、在宅の要介護者や高齢者等であり、注文コードシートＣＳ１は、例えば、ユーザ宅内の冷蔵庫等に貼り付けられている。端末装置２は、例えば、ユーザの端末でもよいし、ユーザの家族やヘルパー等の端末でもよい。つまり、ユーザ宅内の注文コードシートＣＳ１のコードを読み取ることができる者の端末であれば、誰の端末であっても、画面情報を受信して、商品の注文を行うことが可能である。
【０１５７】
また、上記構成において、特定情報は、ユーザの個人情報を含むことにより、ユーザは、個人情報の入力なしで商品の配送を受けることができる。
【０１５８】
また、上記構成において、個人情報は、ユーザの住所情報と氏名情報とを含むことにより、ユーザは、住所と氏名を含む個人情報の入力なしで商品の配送を受けることができる。
【０１５９】
また、サーバ装置１は、端末装置２の位置を示す位置情報を受信し、位置情報と住所情報とが予め決められた条件を満たすほど近いか否かを判断し、予め決められた条件を満たすほど近いと判断した場合のみ、配送処理を行うことにより、住所から離れた場所に位置する端末装置２での注文に対しては配送を行わないので、ユーザは、住所と氏名を含む個人情報の入力なしでも安全に商品の配送を受けることができる。
【０１６０】
また、注文コードシートＣＳ１は、サーバ装置１で受信される特定情報が埋め込まれたコードがマグネット上に表出した注文コードシートである。従って、注文コードシートＣＳ１を冷蔵庫等に貼り付けておくことで、ユーザは、容易に食品等の商品の配送を受けられる。
【０１６１】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。
【０１６２】
なお、本実施の形態における情報処理装置を実現するソフトウェアは、例えば、以下のようなプログラムである。つまり、このプログラムは、コンピュータを、ユーザを特定する特定情報が埋め込まれたコードが表出した注文コードシートＣＳ１の前記コードを読み取った端末装置２から特定情報を受信する特定情報受信部１２１と、前記コードに対応する画面情報であり、１以上の各商品の注文を入力する画面の画面情報を前記端末装置２に送信する画面情報送信部１３１と、前記画面情報の送信に応じて、前記１以上の商品のうちの１以上の商品の注文に関する注文情報を前記端末装置２から受信する注文情報受信部１２２と、前記特定情報に対応するユーザの所在を示す所在情報を含む個人情報を取得する個人情報取得部１４１と、前記注文情報受信部１２２が受信した注文情報と前記個人情報取得部１４１が取得した個人情報とを用いて、当該注文情報に対応する１以上の商品の配送に関する配送処理を行う配送処理部１４２として機能させるためのプログラムである。
【０１６３】
（実施の形態２）
前述した実施の形態１における配送が、例えば、ユーザが暮らす自宅や施設等の住所への配送であったのに対し、本実施の形態２における配送は、例えば、列車や球場といった特定の場所で座席またはテーブルに着いているユーザの席への配送である。
【０１６４】
図６は、本実施の形態における情報システム２００のブロック図である。情報システム２００は、サーバ装置５、１または２以上の端末装置６、および１または２以上の配送者端末７を備える。サーバ装置５は、ネットワーク等を介して、１以上の端末装置６および１以上の配送者端末７の各々と通信可能に接続される。
【０１６５】
サーバ装置５は、情報システム２００を運営する運営企業のサーバであり、例えば、新幹線等の列車や球場などの特定の場所に設置される。ただし、サーバ装置５は、クラウドサーバやＡＳＰサーバ等でもよく、そのタイプや所在は問わない。なお、運営企業は、例えば、列車を運行する鉄道会社、球場を運営する運営会社等であるが、車内や球場内で弁当や飲み物、各種グッズなどの品物を販売する販売会社でもよい。ただし、品物の種類、品物を販売する場所や主体等は問わない。
【０１６６】
端末装置６は、情報システム２００を利用するユーザの端末である。ユーザは、例えば、列車の乗客、球場の観客などであり、座席やテーブル等の席に着いている。ユーザが席で飲食する弁当やお茶、読む雑誌といった商品（以下、非日用品と記す場合がある）は、例えば、販売員が席の間を巡りながら販売する。ユーザは、席を離れて商品を購入することも可能ではあるが、通常は席を離れず、販売員が巡回して来るのを待つ。従って、本実施の形態におけるユーザは、席からの移動に制約がある、ということもできる。なお、席が設けられている場所は、列車や球場に限らず、例えば、航空機、バス、船、レストラン、宴会場、ホテル、カラオケ等、どこでもよい。
【０１６７】
配送者端末７は、ユーザに品物を配送する配送者の端末である。配送者は、例えば、車内や球場内で販売を行う販売員であるが、販売員とは別の人員でもよい。
【０１６８】
サーバ装置５は、格納部５１、受信部５２、送信部５３、および処理部５４を備える。受信部５２は、特定情報受信部５２１、および注文情報受信部５２２を備える。送信部５３は、画面情報送信部５３１を備える。処理部５４は、個人情報取得部５４１、および配送処理部５４２を備える。
【０１６９】
端末装置６は、端末格納部６１、端末受付部６２、端末送信部６４、端末受信部６５、および端末出力部６６を備える。
【０１７０】
配送者端末７は、配送者受信部７１、および配送者出力部７２を備える。
【０１７１】
サーバ装置５を構成する各要素（すなわち、格納部５１、受信部５２、送信部５３、処理部５４、特定情報受信部５２１、注文情報受信部５２２、画面情報送信部５３１、個人情報取得部５４１、および配送処理部５４２）は、基本的には、実施の形態１の対応する構成要素（すなわち、格納部２１、受信部２２、送信部２３、処理部２４、特定情報受信部２２１、注文情報受信部２２２、画面情報送信部２３１、個人情報取得部２４１、および配送処理部２４２）と同様の動作を行う。以下では、各構成要素の動作の概要と、実施の形態１に対する差異のみを説明する。
【０１７２】
格納部５１には、例えば、ＩＤと個人情報との対の集合が格納される。ただし、実施の形態１における個人情報が、通常、住所情報および氏名情報であったのに対し、本実施の形態における個人情報は、通常、席特定情報である。席特定情報とは、席を特定する情報である。席は、通常、座席であるが、テーブルの席でもよい。席特定情報は、例えば、列車の座席を特定する情報である。
【０１７３】
この種の席特定情報は、例えば、号車番号と座席番号とで構成される。号車番号とは、一の列車を構成する１以上の車両（例えば、１６両や８両等）の番号である。号車番号は、例えば、“１”，“２”，・・・“８”等であるが、その表現形式は問わない。座席番号とは、一の車両内の１または２以上の座席（例えば、１００席）の番号である。座席番号は、例えば、“１Ａ”，“１Ｂ”，・・・“１２Ｄ”等であるが、その表現形式は問わない。なお、この種の席特定情報は、号車番号を有さなくてもよく、例えば、座席番号のみで構成されてもよい。
【０１７４】
または、席特定情報は、例えば、夜行列車の寝台、航空機の座席、バスの座席、船の船室または寝台といった、各種の乗り物の各種の席を特定する情報でもよい。
【０１７５】
または、席特定情報は、例えば、球場の席を特定する情報でもよい。この種の席特定情報は、例えば、エリア識別子と座席番号とで構成される。エリア識別子とは、球場内のエリアを識別する情報である。エリア識別子は、例えば、“ネット裏”や“一塁側内野席”等であるが、その表現形式は問わない。座席番号は、例えば、“第１０列−第４１番”等で表現されるが、その表現形式は問わない。
【０１７６】
または、席特定情報は、例えば、レストランや宴会場といった、２以上のテーブルが配置された場所において、テーブルを特定する情報（例えば、テーブル番号）でもよい。または、席特特定情報は、例えば、ホテルやカラオケといった、２以上の部屋を有する場所において、部屋を特定する情報（例えば、部屋番号）でも構わない。
【０１７７】
なお、席特定情報は、席属性情報に対応付いていてもよい。言い換えると、本実施の形態における個人情報は、席特定情報と席属性情報とを有していてもよい。席属性情報とは、席の属性を示す情報である。席属性情報は、例えば、“自由席”，“指定席”，“グリーン車”，“Ｂ寝台”，“ビジネスクラス”，“禁煙席”，“喫煙席”等であるが、その種類は問わない。なお、席属性情報は、例えば、その席に着いているユーザの個人情報の一種と考えることもできる。
【０１７８】
また、席特定情報は、通常、ユーザが着いている席を識別する情報であるが、例えば、列車や球場のように、２以上の座席が少なくとも前後方向に配列されている場所にあっては、ユーザの後ろの席を識別する情報であってもよい。つまり、列車等では、ユーザの席の背もたれに、後ろの席の番号が表記され、ユーザの席の番号は、前の席の背もたれに表記されている場合がある。
【０１７９】
なお、少なくとも前後方向に配列されている場所とは、通常、４以上の座席が前後および左右の２方向に配列されている場所であるが、２以上の座席が前後方向に一列に配置されている場所も含む。
【０１８０】
受信部５２は、例えば、特定情報、注文情報等の各種の情報を受信する。なお、受信部５２は、例えば、特定情報と共に、席属性情報をも受信してもよい。
【０１８１】
特定情報受信部５２１は、注文コードシートＣＳ２のコードを読み取った端末装置６から、端末識別子と対に、特定情報を受信する。特定情報は、例えば、席特定情報であるが、ＩＤでもよい。後者の場合、格納部５１には、ＩＤと席特定情報との対の集合が格納される。
【０１８２】
ユーザが注文を行うための注文コードシートは、実施の形態１では、例えば、そのユーザの自宅等に設置された冷蔵庫等の家電製品やホワイトボード等に貼られたが、本実施の形態では、例えば、列車や球場等に設けられた座席またはテーブルに貼られる。特に、列車等において、ある席に着いているユーザが注文を行うための注文コードシートＣＳ２が、そのユーザの前の座席の背もたれの後面に貼られることは好適である。なお、当該ユーザの座席の背もたれの後面には、後ろの座席のユーザが注文を行うための注文コードシートが貼られる。注文コードシートＣＳ２は、例えば、樹脂製のプレートであるが、シールやマグネットシート等でもよく、その素材は問わない。
【０１８３】
注文情報受信部５２２は、画面情報送信部５３１による画面情報の送信に応じて、当該画面情報に対応する１以上の商品のうちの１以上の商品の注文に関する注文情報を端末装置６から受信する。
【０１８４】
送信部５３は、画面情報等の各種の情報を送信する。なお、本実施の形態においても、画面情報は、通常、ウェブページである。
【０１８５】
画面情報送信部５３１は、端末装置６で読み取られたコードに対応する画面情報であり、１以上の各商品の注文を入力する画面の画面情報を当該端末装置６に送信する。
【０１８６】
例えば、格納部５１に、一の画面情報が格納されており、画面情報送信部５３１は、端末装置６で読み取られたコードから抽出されたＩＤが受信されたことに応じて、当該一の画面情報を当該端末装置６に送信する。
【０１８７】
または、格納部５１に、ＩＤと、席属性情報に対応付いた席特定情報との対の集合が格納され、さらに、席属性情報と画面情報との対の集合も格納されており、画面情報送信部５３１は、端末装置６で読み取られたコードから抽出されたＩＤに対応する席特定情報に対応付いた席属性情報と対になる画面情報を、当該端末装置６に送信してもよい。
【０１８８】
具体的には、例えば、格納部５１に、全てのＩＤに対応付けて、第一のウェブページが格納され、また、属性情報“グリーン車”に対応付けて、第二のウェブページが格納されている。画面情報送信部５３１は、端末装置６で読み取られたコードから抽出されたＩＤが受信されたことに応じて、全ＩＤに対応する第一のウェブページを当該端末装置６に送信する。また、受信されたＩＤに対応する席特定情報が属性情報“グリーン車”に対応付いている場合、画面情報送信部５３１は、当該属性情報“グリーン車”に対応する第二のウェブページをも、当該端末装置６に送信する。なお、第一のウェブページ、第二のウェブページ等については、具体例で説明する。
【０１８９】
処理部５４は、読み取られたコードからの個人情報の抽出といった、各種の処理を行う。
【０１９０】
個人情報取得部５４１は、特定情報受信部５２１が受信した特定情報に対応するユーザの所在を示す所在情報を含む個人情報を取得する。本実施の形態における所在情報は、通常、席特定情報である。
【０１９１】
配送処理部５４２は、注文情報受信部５２２が受信した注文情報と、個人情報取得部５４１が取得した個人情報とを用いて、当該注文情報に対応する１以上の商品の配送に関する配送処理を行う。
【０１９２】
本実施の形態における配送処理は、席特定情報が示す座席またはテーブルに、注文情報が示す１以上の商品の配送するための処理である。配送は、具体的には、例えば、列車の座席またはテーブルに着いているユーザの席への弁当や飲み物等の商品の配送である。配送処理部５４２は、例えば、弁当や飲み物等の１以上の商品を注文する注文情報と、個人情報である席特定情報とを、１以上の各配送者端末７に送信する。
【０１９３】
その際、配送処理部５４２は、例えば、１以上の各配送者端末７の位置情報を取得し、受信された席特定情報が示す座席またはテーブルに最も近い配送者端末７に、注文情報と席特定情報とを送信してもよい。
【０１９４】
なお、１以上の各配送者端末７の位置情報は、例えば、当該配送者端末７が接続しているアクセスポイントを識別するアクセスポイント識別情報を用いて取得可能である。例えば、格納部５１に、アクセスポイント識別子と位置情報との対の集合が格納されており、配送処理部５４２は、１以上の各配送者端末７から送信されるアクセスポイント識別子を受信し、当該アクセスポイント識別子に対応する位置情報を格納部５１から取得する。配送処理部５４２は、こうして取得した１以上の位置情報のうち、受信された席特定情報で特定される席に最も近い位置情報に対応する配送者端末７に、注文情報と席特定情報とを送信してもよい。
【０１９５】
端末格納部６１には、例えば、端末識別子などの情報が格納される。
【０１９６】
端末受付部６２は、例えば、コード、注文情報などの情報を受け付ける。端末受付部６２は、カメラ等の光学読取手段を介して注文コードシートＣＳ１から読み取られたコードを受け付ける。また、端末受付部２２は、端末出力部２６によってディスプレイに表示されている画面に対し、タッチパネル等の入力デバイスを介して入力された注文情報を受け付ける。
【０１９７】
端末処理部６３は、例えば、読み取られたコードからの特定情報等の情報の抽出などの処理を行う。
【０１９８】
端末送信部６４は、例えば、特定情報、注文情報などの情報を送信する。詳しくは、端末送信部６４は、コードから抽出された特定情報等の情報をサーバ装置５に送信する。また、端末送信部６４は、端末受付部６２が受け付けた注文情報を、１以上の各配送者端末７に送信する。
【０１９９】
端末受信部６５は、例えば、端末送信部６４が、コードから抽出された特定情報等の情報をサーバ装置５に送信したことに応じて、サーバ装置５から、当該コードに対応する画面情報を受信する。
【０２００】
端末出力部６６は、端末受信部６５が受信した画面情報等の情報を、ディスプレイ等の出力デバイスを介して出力する。
【０２０１】
配送者端末７を構成する配送者受信部７１は、サーバ装置５から注文情報および席特定情報を受信する。
【０２０２】
配送者出力部７２は、配送者受信部７１が受信した注文情報および席特定情報を、ディスプレイまたはプリンタを介して出力する。
【０２０３】
情報システム２００の基本的な動作は、実施の形態１と同様であり、図２のフローチャートに示されている。本実施の形態における各ステップでの動作は、次のようになる。
【０２０４】
（ステップＳ２０１）処理部５４は、特定情報受信部５２１が、コードを読み取った端末装置６から特定情報を受信したか否かを判断する。
【０２０５】
例えば、特定情報は、ＩＤであり、格納部５１に、ＩＤと、個人情報である席特定情報との対の集合が格納されている。受信された特定情報が、格納部５１に格納されている１以上のＩＤのいずれか１つと一致する場合に、処理部５４は、特定情報受信部５２１が、コードを読み取った端末装置６から特定情報を受信したと判断する。特定情報受信部５２１が、コードを読み取った端末装置６から特定情報を受信した場合はステップＳ２０２に進み、受信していない場合はステップＳ２０１に戻る。
【０２０６】
（ステップＳ２０２）画面情報送信部５３１は、当該端末装置６に、当該コードに対応する画面情報を送信する。例えば、格納部５１に、特定情報であるＩＤと画面情報との対の集合が格納されており、画面情報送信部５３１は、当該特定情報に対応する画面情報を格納部５１から取得して、ステップＳ２０１で当該特定情報と対に受信された端末識別子で識別される端末装置６に送信する。
【０２０７】
（ステップＳ２０３）処理部５４は、注文情報受信部５２２が、当該端末装置６から注文情報を受信したか否かを判断する。注文情報受信部５２２が、当該端末装置６から注文情報を受信した場合はステップＳ２０４に進み、受信していない場合はステップＳ２０３に戻る。
【０２０８】
（ステップＳ２０４）個人情報取得部５４１は、当該特定情報に対応するユーザの個人情報を取得する。例えば、特定情報であるＩＤと、所在情報である席特定情報を含む個人情報との対の集合が、格納部５１に格納されており、個人情報取得部５４１は、ステップＳ２０１で受信されたＩＤと対になる席特定情報を格納部５１から取得する。
【０２０９】
（ステップＳ２０５）配送処理部５４２は、ステップＳ２０３で受信された注文情報と、ステップＳ２０４で取得された席特定情報とを用いて、当該注文情報に対応する１以上の商品の、ユーザの席への配送処理を行う。その後、ステップＳ２０１に戻る。
【０２１０】
以下、情報システム２００の具体的な動作例について説明する。なお、以下の説明は、種々の変更が可能であり、本発明の範囲を何ら制限するものではない。
【０２１１】
本例における情報システム２００は、サーバ装置５、２以上の端末装置６、および２以上の配送者端末７を備える。サーバ装置５は、一の列車の車内ネットワークを介して、２以上の端末装置６および２以上の配送者端末７の各々と通信可能に接続される。なお、この列車を構成する２以上の各車両に、社内ネットワークへのアクセスポイントが設けられている。
【０２１２】
２以上の端末装置６のうち一の端末装置６（以下、端末装置６Ｘと記す場合がある）は、この列車の一の乗客であるＸさんの携帯端末である。Ｘさんは、自由席である「１号車２Ｂ」に着席している。端末装置６Ｘの端末格納部６１には、端末識別子“Ｙ”が格納されている。
【０２１３】
２以上の端末装置６のうち他の端末装置６（以下、端末装置６Ｙと記す場合がある）は、この列車の他の乗客であるＹさんの携帯端末である。Ｙさんは、グリーン車の席である「８号車１２Ｄ」に着席している。端末装置６Ｙの端末格納部６１には、端末識別子“Ｙ”が格納されている。
【０２１４】
列車内の２以上の各座席に着いているユーザが注文を行うための注文コードシートは、例えば、図７に示すように、そのユーザの前の席の背もたれの後面に貼り付けられている。図７は、本実施の形態における注文コードシートの配置図である。
【０２１５】
いま、座席「１号車２Ｂ」に座っているＸさんが、お弁当とお茶の注文を行おうとしている。Ｘさんは、端末装置６Ａのカメラを起動し、前の座席である「１号車１Ｂ」の背もたれの後面に貼られた注文コードシートＣＳ２のＱＲコードを読み取る。この注文コードシートＣＳ２のＱＲコードには、座席「１号車２Ｂ」を特定する特定情報が埋め込まれている。
【０２１６】
なお、Ｘさんの座席「１号車２Ｂ」の背もたれの後面に貼られた注文コードシートのＱＲコードには、座席「１号車３Ｂ」を特定する特定情報が埋め込まれている。
【０２１７】
また、最前列の座席「１号車１Ｂ」を特定するＱＲコードが表出した注文コードシートは、その座席「１号車１Ｂ」に付随するテーブルに貼られている。
【０２１８】
本例における特定情報は、ＩＤである。座席「１号車２Ｂ」を特定する特定情報は、ＩＤ“２”である。なお、注文コードシートＣＳ２には、座席番号を示す文字列「２Ｂ」も記されているが、文字列の表記は無くてもよい。
【０２１９】
サーバ装置５の格納部５１には、例えば、図８に示すような、ＩＤと、個人情報である席特定情報との対の集合が格納されている。図８は、本実施の形態における個人情報である席特定情報のデータ構造図である。席特定情報は、例えば、号車番号、および座席番号を有する。ＩＤは、例えば、“１”，“２”等の番号である。
【０２２０】
ＩＤ“１”と対になる席特定情報は、列車番号“１”、および座席番号“１Ａ”を有する。ＩＤ“２”と対になる席特定情報は、列車番号“１”、および座席番号“１Ｂ”を有する。ＩＤ“３”と対になる席特定情報は、列車番号“８”、および座席番号“１２Ｄ”を有する。
【０２２１】
席特定情報は、席属性情報に対応付いている。本例における席属性情報は、例えば、“自由席”，“指定席”，“グリーン車”等であるが、その種類は問わない。例えば、ＩＤ“１”と対になる席特定情報は、“自由席”に対応付き、ＩＤ“２”と対になる席特定情報もまた、“自由席”に対応付いている。ＩＤ“３”と対になる席特定情報は、“グリーン車”に対応付いている。
【０２２２】
また、格納部５１には、２以上のウェブページが格納されている。格納されている２以上の各ウェブページは、ＩＤまたは席属性情報に付いている。例えば、第一のウェブページは、全てのＩＤに対応付き、第二のウェブページは、属性情報“グリーン車”に対応付いている。
【０２２３】
第一のウェブページは、全席用の画面の情報であり、例えば、「幕ノ内弁当」と数量入力欄（個）との対、「お茶」と数量入力欄（本）との対などを含む。第二のウェブページは、グリーン車専用の画面の情報であり、例えば、「オードブル」と数量入力欄（個）との対、「赤ワイン」と数量入力欄（本）との対などを含む。
【０２２４】
端末装置６Ｘにおいて、端末受付部６２が、上記のようにして読み取られたコードを受け付け、端末処理部６３は、読み取られたコードからＩＤ“２”を抽出し、端末送信部６４は、抽出されたＩＤ“２”を端末識別子“Ｘ”と対にサーバ装置５に送信する。
【０２２５】
サーバ装置５において、特定情報受信部５２１が上記ＩＤ“２”を端末識別子“Ｘ”と対に受信し、画面情報送信部５３１は、当該端末識別子“Ｘ”で識別される端末装置６Ｘに、当該ＩＤ“２”を含む全ＩＤに対応する画面情報である第一のウェブページを送信する。
【０２２６】
端末装置６Ｘにおいて、端末受信部６５が上記第一のウェブページを受信し、端末出力部６６は、受信された第一のウェブページをディスプレイを介して出力する。これにより、端末装置６Ｘのディスプレイに、全席用のページの画面が表示される。Ｘさんは、端末装置６Ｘの入力デバイスを介して、「幕ノ内弁当」に対応する数量入力欄（個）に“１”を入力し、また、「お茶」に対応する数量入力欄（本）に“１”を入力する。
【０２２７】
端末装置６Ｘにおいて、端末受付部６２は、商品識別子“幕ノ内弁当”と数量情報“１個”との対を受け付け、また、商品識別子“お茶”と数量情報“本”との対を受け付ける。端末送信部６４は、こうして受け付けられた２つの対を含む注文情報を、ＩＤ“２”と対に、サーバ装置５に送信する。
【０２２８】
サーバ装置５において、注文情報受信部５２２が上記注文情報をＩＤ“２”と対に受信し、個人情報取得部５４１は、格納部５１から、当該ＩＤ“２”と対になる席特定情報“１号車２Ｂ”を取得する。
【０２２９】
配送処理部５４２は、受信された注文情報および取得された席特定情報を、２以上の各配送者端末７に送信する。
【０２３０】
２以上の各配送者端末７において、配送者受信部７１が上記注文情報および上記席特定情報を受信し、配送者出力部７２は、受信された注文情報および受信された席特定情報をディスプレイ等の出力デバイスを介して出力する。これにより、各配送者端末７のディスプレイに、例えば、図９に示すような画面が表示される。
【０２３１】
図９は、配送者端末７における画面の例を示す図である。この画面は、注文情報に対応する文字列“幕ノ内弁当：１（個），お茶：１（本）”と、席特定情報に対応する文字列“配送先：１号車１Ｂ”とを含む。
【０２３２】
列車内の２以上の各販売員は、担当する車両が予め決められており、１号車を担当する販売員が、幕ノ内弁当１個とお茶１本を１号車の席１Ｂまで持参し、ユーザＡに引き渡す。
【０２３３】
なお、座席「８号車１２Ｄ」に座っているＹさんへの配送も、基本的には上記と同様に行われる。ただし、Ｙさんの端末装置６Ｙへは、グリーン専用の第二のウェブページも送信される。ユーザＢは、第一および第二の２つのウェブページ上で１以上の商品を注文し、配送を受けることができる。
【０２３４】
以上、本実施の形態によれば、サーバ装置５は、ユーザを特定する特定情報が埋め込まれたコードが表出した注文コードシートＣＳ２のコードを読み取った端末装置６から特定情報を受信する特定情報受信部５２１と、コードに対応する画面情報であり、１以上の各商品の注文を入力する画面の画面情報を端末装置６に送信する画面情報送信部５３１と、画面情報の送信に応じて、１以上の商品のうちの１以上の商品の注文に関する注文情報を端末装置６から受信する注文情報受信部５２２と、特定情報に対応するユーザの所在を示す所在情報を含む個人情報を取得する個人情報取得部５４１と、注文情報受信部５２２が受信した注文情報と個人情報取得部５４１が取得した個人情報とを用いて、注文情報に対応する１以上の商品の配送に関する配送処理を行う配送処理部５４２とを具備することにより、移動に制約があるユーザが容易に商品の配送を受けられるようになる。なお、本実施の形態におけるユーザは、例えば、列車や球場等の座席やテーブルの席に就いている者であり、注文コードシートＣＳ２は、席に貼り付けられている。端末装置６は、席に着いている者の端末であり、席に着いている者が誰でも、自分の端末で、注文コードシートＣＳ２のコードを読み取ることで、画面情報を受信し、商品の注文を行うことが可能である。
【０２３５】
また、上記構成において、特定情報は、ユーザの個人情報を含むことにより、ユーザは、個人情報の入力なしで商品の配送を受けることができる。
【０２３６】
また、上記構成において、個人情報は、座席またはテーブルを特定する席特定情報であり、サーバ装置５は、席特定情報を用いて、座席またはテーブルに１以上の商品の配送するための配送処理を行うことにより、特定の座席または特定のテーブルに就いたユーザが容易に商品の配送を受けることができる。
【０２３７】
また、サーバ装置５により受信される特定情報が埋め込まれたコードが表出した注文コードシートＣＳ２が貼られた座席により、その座席に就いたユーザが容易に商品の配送を受けられる。
【０２３８】
また、上記座席において、特定情報は、後ろの席を識別する情報であり、背もたれの後面に注文コードシートＣＳ２が貼られていることにより、その座席に就いたユーザが、前の席のコードを用いて容易に商品の配送を受けることができる。
【０２３９】
また、サーバ装置５により受信される特定情報が埋め込まれたコードが表出した注文コードシートＣＳ２が貼られたテーブルにより、そのテーブルに就いたユーザが容易に商品の配送を受けることができる。
【０２４０】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。
【０２４１】
なお、本実施の形態における情報処理装置を実現するソフトウェアは、例えば、以下のようなプログラムである。つまり、このプログラムは、コンピュータを、ユーザを特定する特定情報が埋め込まれたコードが表出した注文コードシートＣＳ２の前記コードを読み取った端末装置６から特定情報を受信する特定情報受信部５２１と、前記コードに対応する画面情報であり、１以上の各商品の注文を入力する画面の画面情報を前記端末装置６に送信する画面情報送信部５３１と、前記画面情報の送信に応じて、前記１以上の商品のうちの１以上の商品の注文に関する注文情報を前記端末装置６から受信する注文情報受信部５２２と、前記特定情報に対応するユーザの所在を示す所在情報を含む個人情報を取得する個人情報取得部５４１と、前記注文情報受信部５２２が受信した注文情報と前記個人情報取得部５４１が取得した個人情報とを用いて、当該注文情報に対応する１以上の商品の配送に関する配送処理を行う配送処理部５４２として機能させるためのプログラムである。
【０２４２】
図１０は、各実施の形態におけるプログラムを実行して、サーバ装置（１，５）等を実現するコンピュータシステム９００の外観図である。本実施の形態は、コンピュータハードウェアおよびその上で実行されるコンピュータプログラムによって実現され得る。図１０において、コンピュータシステム９００は、ディスクドライブ９０５を含むコンピュータ９０１と、キーボード９０２と、マウス９０３と、ディスプレイ９０４とを備える。なお、キーボード９０２やマウス９０３やディスプレイ９０４をも含むシステム全体をコンピュータと呼んでもよい。
【０２４３】
図１１は、コンピュータシステム９００の内部構成の一例を示す図である。図１１において、コンピュータ９０１は、ディスクドライブ９０５に加えて、ＭＰＵ９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ９１３と、アプリケーションプログラム、システムプログラム、およびデータを記憶するストレージ９１４と、ＭＰＵ９１１、ＲＯＭ９１２等を相互に接続するバス９１５と、外部ネットワークや内部ネットワーク等のネットワークへの接続を提供するネットワークカード９１６と、を備える。ストレージ９１４は、例えば、ハードディスク、ＳＳＤ、フラッシュメモリなどである。
【０２４４】
コンピュータシステム９００に、サーバ装置（１，５）等の機能を実行させるプログラムは、例えば、ＤＶＤ、ＣＤ−ＲＯＭ等のディスク９２１に記憶されて、ディスクドライブ９０５に挿入され、ストレージ９１４に転送されてもよい。これに代えて、そのプログラムは、ネットワークを介してコンピュータ９０１に送信され、ストレージ９１４に記憶されてもよい。プログラムは、実行の際にＲＡＭ９１３にロードされる。なお、プログラムは、ディスク９２１、またはネットワークから直接、ロードされてもよい。また、ディスク９２１に代えて他の着脱可能な記録媒体（例えば、ＤＶＤやメモリカード等）を介して、プログラムがコンピュータシステム９００に読み込まれてもよい。
【０２４５】
プログラムは、コンピュータの詳細を示す９０１に、サーバ装置（１，５）等の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム９００がどのように動作するのかについては周知であり、詳細な説明は省略する。
【０２４６】
なお、上述したコンピュータシステム９００は、サーバまたは据え置き型のＰＣであるが、端末装置（２，６）等は、例えば、スマートフォンやタブレット端末やノートＰＣといった、携帯端末で実現されてもよい。この場合、例えば、キーボード９０２およびマウス９０３はタッチパネルに、ディスクドライブ９０５はメモリカードスロットに、ディスク９２１はメモリカードに、それぞれ置き換えられてもよい。配送者端末７も、基本的なハードウェア構成は、ＰＣや携帯端末と同様でよい。ただし、以上は例示であり、サーバ装置（１，５）等を実現するコンピュータのハードウェア構成は問わない。
【０２４７】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０２４８】
また、上記プログラムを実行するコンピュータは、単数であってもよく、複数であってもよい。すなわち、集中処理を行ってもよく、あるいは分散処理を行ってもよい。
【０２４９】
また、上記各実施の形態において、一の装置に存在する２以上の通信手段（受信部１２および送信部１３など）は、物理的に一の媒体で実現されても良いことは言うまでもない。
【０２５０】
また、上記各実施の形態において、各処理（各機能）は、単一の装置（システム）によって集中処理されることによって実現されてもよく、あるいは、複数の装置によって分散処理されることによって実現されてもよい。
【０２５１】
本発明は、以上の実施の形態に限定されることなく、種々の変更が可能であり、それらも本発明の範囲内に包含されるものであることは言うまでもない。
【産業上の利用可能性】
【０２５２】
以上のように、本発明にかかるサーバ装置は、移動に制約があるユーザが容易に商品の配送を受けられるように支援するという効果を有し、サーバ装置等として有用である。
【符号の説明】
【０２５３】
１、５  サーバ装置
２、６  端末装置
７  配送者端末
１１、５１  格納部
１２、５２  受信部
１３、５３  送信部
１４、５４  処理部
２１、６１  端末格納部
２２、６２  端末受付部
２３、６３  端末処理部
２４、６４  端末送信部
２５、６５  端末受信部
２６、６６  端末出力部
７１  配送者受信部
７２  配送者出力部
１００、２００  情報システム
１２１、５２１  特定情報受信部
１２２、５２２  注文情報受信部
１２３  位置情報受信部
１３１、５３１  画面情報送信部
１４１、５４１  個人情報取得部
１４２、５４２  配送処理部
１４３  判断部
ＣＳ１、ＣＳ２  注文コードシート
【図１】
2020064545.tif 000003
【図２】
2020064545.tif 000004
【図３】
2020064545.tif 000005
【図４】
2020064545.tif 000006
【図５】
2020064545.tif 000007
【図６】
2020064545.tif 000008
【図７】
2020064545.tif 000009
【図８】
2020064545.tif 000010
【図９】
2020064545.tif 000011
【図１０】
2020064545.tif 000012
【図１１】
2020064545.tif 000013